Podtech/llm-jp-corpus-v4-ja_patent huggingface dataset:
(57)【要約】      （修正有）【課題】炊事等の作業を行うとき、多用するトングの使用後に鍋などの清掃をする為に使用するへらに持ち替えて、その作業を行う煩わしさを排除することを目的として、トングの柄を使ってこれにへらの柄を収納し、その双方の使用を円滑に行うことによって作業効率を向上する、へら付きトングを提供する。【解決手段】従来から炊事に良く用いられてきたトングの柄に、へらの柄をスライドして収納し必要に応じてへらを出し入れして使用する。【選択図】図１
0003114050.tif 000002
【実用新案登録請求の範囲】
【請求項１】
炊事作業の場合に使用するトングの柄に、トングを使った後の容器を洗浄する場合に、その作業を容易にするためのへらを併設し、トングを使用するときはへらが邪魔にならないようにトングの柄に設けた溝の中に収容することができるようにしたへら付きトング。
【考案の詳細な説明】
【考案の詳細な説明】
【技術分野】
【０００１】  本考案は炊事作業等の場合に、トングを使用した後の食器等を洗浄するために使用するへらを、トングの柄に設けた溝にへらの柄をスライドして収納し、その使用には収納位置からトングの前にへらが出るように摺動固定させ、へらを使う作業に容易に移行出来ることを期待するものである。
【背景技術】
【０００２】  従来、炊事作業を行うときに、できあがった料理を器に移す場合等にトングを使って作業をすることが多いが、その料理を取り分けた後のナベなどに付着した残滓を取り除くためには、へらを使って落とす場合が多く、また効果的に行うことが出来るが、その場合にトングとへらを持ち替えてこれを行なわなければならないという手間が必要であった。
【考案が解決しようとする課題】
【０００３】  上記のような作業手順を、本考案は簡略化するために、トングの柄の部分にへらの柄を収納出来る溝を併設し、必要に応じてへらの柄を前後に摺動させる事によってそれぞれの機能を損なう事なく効率よく作業を果たすことが出来ることを課題とした。
【課題を解決するための手段】
【０００４】  本考案は炊事や料理に使用する金属製トングの、左右いずれかの柄に、合成樹脂製のへらの柄をスライドして収納出来るように溝を作り、へらを使用する場合にはへらの柄をトングの先端から突出させる位置までスライドさせて使用し、使用が終わったらトングの使用を妨げない位置までへらの柄を手前にスライドして収納固定することによって、課題を解決するものとした。
【考案の効果】
【０００５】  本考案は上述のように構造簡単で、その作業上でもそれぞれの機能を失うことも無く、連続した手順で行えるばかりでなく、機能を切り替える場合でもへらの柄を親指等の指先でスライドさせるだけで行い得るといった構造にしたので、効果的で簡便なものとなった。  なおへらの柄の位置を固定するために、弾性のある突起をトングの柄に作り、その突起を受ける凹穴を合成樹脂製のへらの柄の適切な位置に作って、へらの使用時と収納時の安定性を与えるようにした。  これによって本考案は構造簡便で多大の便益を提供するものとなった。
【実施例】
【０００６】  本考案を添付図面でその実施例を示せば、金属製のトングの握り柄１にへら２の柄３をスライドさせるための溝４を作り、そのへらの柄を摺動をさせるための指当て５を設け、それを前後することによってへら２を目的位置に固定するために、トング１の溝４内の適切な位置にくの字型をした弾性のストッパー６を設け、摺動するトングの柄にこれを受けてへらの使用中の位置に嵌合する受け穴７と、収納用受け穴８を作ってなるものである。
【図面の簡単な説明】
【０００７】
【図１】本考案のへらの柄をトングの溝に収納した状態を示す斜視図である。
【図２】本考案のへらの柄を固定する部分の拡大斜視図である。
【図３】へらの柄を固定する部分を一部透視し、拡大して背面からみた斜視図である。
【符号の説明】
【０００８】１            トングの握り柄
２            へら
３            へらの柄
４            トングの柄を収納する溝
５            指当て
６            ストッパー
７            へら使用時の固定用ストッパー受け穴
８            へら収納時の固定用ストッパー受け穴
【図１】
0003114050.tif 000003
【図２】
0003114050.tif 000004
【図３】
0003114050.tif 000005
(57)【要約】      （修正有）【課題】節電のためのプラグの抜き差しによるコンセントやプラグ及びコードの損傷や接触不良などを手間を掛けずに簡単に解決するスイッチプラグコンセントの提供。【解決手段】電気のプラグ及びプラグコンセントとスイッチを一体化してプラグを抜かずにスイッチを切ることにより節電し、且つプラグの抜き差しによるプラグ及びコードの損傷や接触不良などを解消する。【選択図】図１
0003114041.tif 000002
【実用新案登録請求の範囲】
【請求項１】
電気のプラグコンセントとスイッチを一体化したスイッチ付きプラグコンセント。
【考案の詳細な説明】
【考案の詳細な説明】
【技術分野】
【０００１】この考案は、電気のプラグコンセントとスイッチを一体化した、スイッチ付きプラグコンセントに関するものです
【背景技術】
【０００２】従来プラグをコンセントに差し込んだままか、プラグの抜き差しによる節電方法だった
【考案が解決しようとする課題】
【０００３】従来、各種電気製品はプラグをコンセントに差し込んだままの状態の物も多くまたテレビ、ラジオ、コンピューターなど製品によってはメインスイッチを切っても部分的に電気を消費している物が多くあります
この考案は、プラグの抜き差しによるコンセントやプラグ及びコードの損傷や接触不良などを手間を掛けずに簡単に解決し同時に節電する為のものです
【課題を解決するための手段】
【０００４】電気のプラグコンセントとスイッチを一体化したスイッチの付いた電源プラグコンセントです。
【考案を実施するための最良の形態】
【０００５】プラグの抜き差しをしないで簡単に電源スイッチを切ることができる
【実施例】
【０００６】プラグの抜き差しをしないで簡単に電源スイッチを切ることができる
【考案の効果】
【０００７】このスイッチプラグコンセントの電源スイッチを切ることにより、プラグの抜き差しによるコンセントやプラグ及びコードの損傷や接触不良などを手間を掛けずに簡単に解決し同時にこまめに節電することができます
【図面の簡単な説明】
【図１】本考案の実施形態を示す図です
【符号の説明】
１  プラグ部分
２  スイッチ部分
３  コンセント部分
【図１】
0003114041.tif 000003
(57)【要約】      （修正有）【課題】指先と足裏を常時刺激することのできる履物の提供。【解決手段】網のソックス（足前半分）を製作し、これを靴下の内側に履く、この時網目の部分の結び目の大きさを変えることにより、よりマッサージ効果が増す。【選択図】図１
0003114005.tif 000002
【実用新案登録請求の範囲】
【請求項１】
網で靴下を作る（サンダル状の物）
【請求項２】
網目の大きさを自由な大きさに調整することが出来る
【請求項３】
適当な範囲と適当な位置に網目を大きくすることが出来る
【考案の詳細な説明】
【背景技術】指先と足裏マッサージの健康促進
［発明が解決しようとする課題］
健康サンダル、足裏マッサージ器具等があるが常時指先と足裏を刺激することができる
［課題を解決するための手段］
網でサンダル状のもの作り靴下の内側に履く
［発明の効果］
靴下の下に履いているので常時指先と足裏を刺激しマッサージ効果の持続性がある
［発明を実施するための最良の形態］
ソックスの半分（前半分）を網で製作この時土踏まず迄網の舌を伸ばす、網の太さは適時の物で網目は適時の位置で大きさを違える、この事で指先と足裏のマッサージ効果が飛躍的に大きくなる  又５本指にする事で足の蒸れを防ぎ水虫防止の効果も期待できる
この時土踏まずの当たる部分に網状の物を適時数枚重ね刺激を強くする事でより大きな効果がみこまれる
［実施例］
発明者及び数十人に体験してもらった結果足が楽になった、夜中のトイレの回数が減少したとの治験報告があった
【図面の簡単な説明】図１  五本指の網状靴下の平面図
図２  土踏まず付近の（ツボ）を効果的に刺激できるように網の太さ網目の大きさの違いを図にしました
【符号の説明】
符号  １    網で作ったサンダル状の物
符号  ２    網で作った五本指のサンダル状の物とする
符号  ３    網で作ったサンダル状の物に中心から土踏まず迄  網の舌をのばす
符号  ４    符号３の網の太さ及び網の目の大きさを変えることを示す
【図１】
0003114005.tif 000003
【図２】
0003114005.tif 000004
【手続補正書】
【提出日】平成17年5月28日(2005.5.28)
【手続補正１】
【補正対象書類名】実用新案登録請求の範囲
【補正対象項目名】全文
【補正方法】変更
【補正の内容】
［書類名］  実用新案登録請求の範囲
［請求項１］
網で作られたサンダル状の靴下。
［請求項２］
前記網の網目の大きさを自由な大きさに調整することが可能なことを特徴とる請求項１記載の靴下。
(57)【要約】【課題】  室内の空気の乾燥を和らげる方法として、電化製品の加湿器による方法、濡れタオルをハンガーに掛ける方法、ストーブにやかん等を乗せる方法等がある。それらの方法には、値段・電気代・加湿過多・安全等の面での不都合な点や濡れタオルが早く乾いてしまったり、タオルに水を多く含ませ過ぎると水が滴り落ちる等の不都合な点があった。  それらの不都合な点を解消する気化式かんたん加湿器を提供する。【解決手段】  背面板１の上部にタオル掛け４を設け、その下部に水入れ２を設ける。そして、そのタオル掛けに濡れタオルを掛けて二つ折りにし、そのタオルの下の部分を下部の水を入れた水入れ２に浸し、毛細管現象で湿ったタオルからの水の気化により室内の乾燥を和らげ、適度な湿度を維持することができる気化式かんたん加湿器を特徴とする。【選択図】    図１
0003114007.tif 000002
【実用新案登録請求の範囲】
【請求項１】
背面板１の上部にタオル掛け４を設け、下部に水入れ２を設けた気化式かんたん加湿器。
【請求項２】
背面板１の中間に通風孔６を多数設けた気化式かんたん加湿器。
【考案の詳細な説明】
【技術分野】
【０００１】  本考案は、毛細管現象で湿ったタオルが室内の乾燥度に応じて自然に加湿する気化式かんたん加湿器に関するものである。
【背景技術】
【０００２】  従来、室内の乾燥を和らげる方法としては、電化製品の加湿器を使う方法、濡れタオルをハンガー等に掛ける方法、ストーブの上にやかん等を乗せる方法等があった。
【考案の開示】
【考案が解決しようとする課題】
【０００３】  しかし、これらには、次のような不都合な点があった。
電化製品の加湿器には、値段が高い。電気代がかかる。稼働させている間中水が気化しているので湿度が過剰になり、結露が生じ、カビの原因や家具、寝具等の傷みの原因になる。また、蒸気による火傷等の危険がある。
濡れタオルをハンガー等に掛ける方法には、タオルを濡らしておいても暖房器具の使用や空気の乾燥等により、タオルが早く乾いてしまい、長時間適度な湿度を維持することができない。また、タオルに水を多く含ませ過ぎると水が滴り落ちる。
ストーブの上にやかん等を乗せる方法には、やかんを倒し火傷をする等の危険がある。また、気化し過ぎて湿度が過剰になり、結露が生じ、カビの原因や家具、寝具等の傷みの原因になる。
そこで、本考案は、以上のような不都合な点をなくすためになされたものである。
【課題を解決するための手段】
【０００４】  背面板１の上部にタオル掛け４を設け、その下部に水入れ２を設ける。そして、それに濡れタオルを掛けて二つ折りにし、その濡れタオルの下の部分を下部の水を入れた水入れ２の中に浸し、毛細管現象で湿ったタオルからの水の気化により室内の空気の乾燥を和らげ、適度な湿度を維持するものである。それに、水の気化をより効率的にするために、背面板１の中間に通風孔６を多数設ける。
本考案は、以上の構成よりなる気化式かんたん加湿器である。
【考案の効果】
【０００５】  背面板１の下部に水入れ２を設け、そこに濡れタオルの下の部分を浸すことにより、毛細管現象により容易にタオルが長時間濡れた状態になり、気化もするので適度な湿度を維持することができ、快適で健康な生活を営むことができる。また、水入れ２を設けたことで、タオルが適度に濡れた状態になり水が滴り落ちることはない。それに、通風孔６を多数設けたことで、水の気化をより効率的に行うことができる。
その他、本考案は電化製品の加湿器に比べて、安価で、電気代がかからないという点から省エネ時代に相応しいものである。また、ストーブの上にやかん等を乗せる方法による火傷を負う危険性がないという点等から安心して使えるものである。
【考案を実施するための最良の形態】
【０００６】  以下、本考案を実施するための最良の形態について説明する。
背面板１の上部にタオル掛け４を設け、下部に水入れ２を設ける。そして、タオル掛け４に濡れタオルを掛けて二つ折りにし、そのタオルの下の部分を水を入れた水入れ２に浸す。それに、水の気化を出来るだけ効率的にするために、背面板１の中間に通風孔６を多数設ける。水入れ２を余り深くせず、濡れタオルの表面積を広くする。そして、背面板１を回転式吊り器具で吊る。
以上のような形態により、下部の水入れ２の水量が少なくなったら水を補給し、タオルを適宜交換するだけで、加湿過多や加湿不足もなく健康によい加湿量が維持できる。
【産業上の利用可能性】
【０００７】  本考案による気化式かんたん加湿器は、空気の乾燥の少ない時期には次のような利用も考えられる。
（あ）背面板の部分−衣類のハンガー等
（い）タオル掛けの部分−ネクタイ、ズボン、スカート、バンド掛け等
（う）水入れの部分−小物入れ、花瓶、消臭剤を入れ室内の消臭、芳香剤を入れ室内の芳香等
【図面の簡単な説明】
【０００８】
【図１】  本考案の斜視図である。
【図２】  本考案の側面図である。
【図３】  本考案の実施斜視図である。
【符号の説明】
【０００９】  １    背面板
２    水入れ
３    水量を表す目盛り
４    タオル掛け
５    タオル掛けを支える器具
６    通風孔
７    回転式吊り器具
８    名称プレート
９    タオルを掛けた状態
【図１】
0003114007.tif 000003
【図２】
0003114007.tif 000004
【図３】
0003114007.tif 000005
【手続補正書】
【提出日】平成17年6月7日(2005.6.7)
【手続補正１】
【補正対象書類名】実用新案登録請求の範囲
【補正対象項目名】全文
【補正方法】変更
【補正の内容】
【実用新案登録請求の範囲】
【請求項１】
・背面板１の上部にタオル掛け４を設け、下部に水入れ２を設けた気化式かんたん加湿器。
【請求項２】
・背面板１の中間に通風孔６を多数設けたことを特徴とする請求項１記載の気化式かんたん加湿器。
(57)【要約】      （修正有）【課題】水道水の塩素、サビを除去するために用いるろ紙に関し、浄水機能を持たせた、手軽にどこでも移動する事ができる、浄水用ろ紙の提供。【解決手段】袋状にした紙の間に活性炭を入れ封をして成る活性炭装着ろ紙。【選択図】図３
0003114001.tif 000002
【実用新案登録請求の範囲】
【請求項１】
紙製のろ紙に活性炭を装着して成ることを特徴とするろ紙。
【請求項２】
合成繊維製のろ紙に活性炭を装着して成ることを特徴とするろ紙。
【考案の詳細な説明】
【考案の詳細な説明】
【０００１】［産業上の利用分野］
本考案は、水道水の塩素、サビを除去するために用いるろ紙に関する。
【０００２】［従来の技術］
ろ紙に浄水機能を持たせた物はなく、浄水器を直接水道の蛇口に装着して浄水していた。
【０００３】［考案が解決しようとする課題］
上記従来のろ過方式によると装置が大きくなり、しかも移動することができないという問題があった。本考案は、このような問題を解決したものであってその目的は、手軽にどこででも浄水出来る様にすることである。
【０００４】［課題を解決するための手段］
上記目的を達成するために、本考案の特徴とする活性炭装着ろ紙は、袋状にしたろ紙の間に活性炭を入れ封をして成るものである。
【０００５】［実施例］
以下に本考案の実施例を添付図面で参照しながら説明する。
図１は、側面図
１は、ろ紙である。
２は、圧着をして封をした部分である。
図２は、平面図
図３は、Ａ−Ａ断面図
３は、活性炭である。
【０００６】  次に、実施例によるろ紙の使用方法について説明する。
図４は、コ−ヒ−ドリップ用の器に、活性炭装着ろ紙を入れた所の図である。
５は、コ−ヒ−ドリップ用の器である。
６は、ろ過した水を受ける器である。
器６の上に、活性炭装着ろ紙を入れたコ−ヒ−ドリップ用の器５を置き、その中に浄水する水を流し入れて、使用するものである。
【０００７】［考案の効果］
本考案は、上記の如くであって、どこへでも移動して手軽に浄水出来ることで、その実用的価値は極めて多大である。
【図１】
0003114001.tif 000003
【図２】
0003114001.tif 000004
【図３】
0003114001.tif 000005
【図４】
0003114001.tif 000006
【手続補正書】
【提出日】平成17年6月15日(2005.6.15)
【手続補正１】
【補正対象書類名】明細書
【補正対象項目名】全文
【補正方法】変更
【補正の内容】
【考案の詳細な説明】
【産業上の利用分野】
【０００１】本考案は、水道水の塩素、サビを除去するために用いるろ紙に関する。
【背景技術】
【０００２】ろ紙に浄水機能を持たせた物は無く、浄水器を直接水道の蛇口に装着して浄水していた。
【考案が解決しようとする課題】
【０００３】上記従来のろ過方式によると装置が大きくなり、しかも移動することができないという問題があった。本考案は、このような問題を解決したものであってその目的は、手軽にどこででも浄水できる様にすることである。
【課題を解決するための手段】
【０００４】上記目的を達成するために、本考案の特徴とする活性炭装着ろ紙は、袋状にしたろ紙の間に活性炭を入れ封をして成る物である。
【実施例】
【０００５】以下に本考案の実施例を添付図面で参照しながら説明する。
図１は、側面図
１は、ろ紙である。
２は、圧着をして封をした部分である。
図２は、平面図
図３は、Ａ−Ａ断面図
３は、活性炭である。【０００６】次に、実施例によるろ紙の使用方法について説明する。
図４は、コ−ヒ−トリップ用の器に、活性炭装着ろ紙を入れた所の図である。
５は、コ−ヒ−ドリップ用の器である。
６は、ろ過した水を受ける器である。
器６の上に、活性炭装着ろ紙を入れたコ−ヒ−ドリップ用の器５を置き、その中に浄水する水を流し入れて、使用するものである。
【考案の効果】
【０００７】本考案は、上記の如くであって、どこへでも移動して手軽に浄水出来ることで、その実用的価値は極めて多大である。
【図面の簡単な説明】
【０００８】
【図１】ろ紙の側面図である。
【図２】ろ紙の平面図である。
【図３】図２のＡ−Ａ断面図である。
【図４】コ−ヒ−ドリップ用の器５に、活性炭装着ろ紙を入れ、ろ過した水を受ける器６の上に置いた所の図である。
【符号の説明】
【０００９】１は、ろ紙
２は、接着した部分
３は、活性炭
５は、コ−ヒ−ドリップ用の器
６は、ろ過した水を受ける器
(57)【要約】      （修正有）【課題】カビ及び汚れ除去作業に従来は除去溶剤を被塗布面に手動噴射して行うため、溶剤の使用量のｕｐ並びに作業効率の低下、環境の悪化を招いていましたが本溶剤掃除機を使用することにより溶剤の消費量及び作業効率の向上、環境改善を可能とする。【解決手段】湿潤マット６に除去溶剤を湿潤して、被塗布面に直接接触塗布することに伴い溶剤の飛散もなく、溶剤のロスが回避され溶剤消費量及び作業効率が大幅に改善される、また、周囲の環境も格段の改善が図られる。【選択図】図２
0003114002.tif 000002
【実用新案登録請求の範囲】
【請求項１】
溶剤収納容器１．ポンプ２．溶剤送付管３．マニホルド４．ノズル５．湿潤マット６．から構成され、溶剤収納容器１．に使用溶剤注入後、ポンプ２．を操作することにより溶剤送付管３．マニホルド４．ノズル５．を会して、湿潤マット６．に溶剤を送り、湿潤マット６．全体に溶剤が湿潤した後、湿潤マット６．を塗布面に接触することにより、溶剤が被塗布面に均一に塗布されることを特長とする溶剤掃除機。
【考案の詳細な説明】
【技術分野】
【０００１】  本考案は、壁面、天井等のカビ又は汚れ除去に溶剤を使用する場合、本溶剤を効率良く、効果的に必要とする塗布面に塗布が容易となる溶剤掃除機に関するものである。
〔背景技術〕【０００２】  近年、カビ及び汚れ除去に溶剤を使用し、同溶剤を手動噴射式容器に注入、被壁面等に手動噴射してカビ及び汚れを除去する方法が実用に共されている。
本方式では、噴射面積は噴射された場所、言い換えれば点となり、又、壁面を流れ落ちた場合は、同部分の線となり、全壁面に塗布するには、多大な労力と多くの溶剤を必要とする問題点を有していた。
〔考案の開示〕
〔考案が解決しようとする課題〕【０００３】  解決しようとする問題点は、手動噴射式の場合、被塗布面積と使用溶剤量の比率、効率の低さ、噴射飛沫の飛散による環境の悪化、また、多大な労力を要する等、容易に作業が捗らない点である。
〔問題を解決しようとする手段〕【０００４】  本考案は、湿潤マットに溶剤を送り、同マットに溶剤を充分湿潤させた後、湿潤マットを被塗布面に接触塗布し塗布作業の能率向上と労力の省力化となることを主要特長とする。【０００５】  被塗布面に接触塗布することにより、溶剤の飛散が無いため、溶剤のロスがなく、溶剤使用量の改善及び環境改善も図られる。
〔考案の効果〕【０００６】  被塗布面に湿潤マットの接触塗布の方式により作業効率化が図れる、湿潤マットの塗布面積は湿潤マットの幅と本マットの移動量、速度により決まり作業計画が容易に確立できる効果がある。
〔考案を実施するための最良の形態］【０００７】  被塗布面の環境及び状態を確認し、問題があれば改善後、塗布作業の準備を開始する。また、溶剤掃除機は使用前及び使用後、湿潤マット、ポンプ、溶剤送付管、ノズル等に詰まり等の不具合がないか、保守点検を行い常時最良の形態を維持する。
〔実施例〕【０００８】  図１は溶剤掃除機の側面図、図２は平面図、図３は正面図であり、溶剤収納容器１、ポンプ２、溶剤送付管３、マニホルド４、ノズル５、湿潤マット６、マット保持フレーム７、シャフトシール付ベアリング８、シャフトベアリング９、ポンプシャフト１０、握柄１１、引金１２、吐出弁１３、吸入弁１４、溶剤注入口１５で構成されている。【０００９】  溶剤収納容器１に溶剤を注入後、引金１２操作に伴いポンプ２が作動し、吸入弁１４から吸引後、吐出弁１３、溶剤送付管３、マニホルド４、ノズル５を経て湿潤マット６に溶剤を送り、湿潤マット６全体に溶剤が湿潤後、湿潤マット６を被塗布面に接触することにより、被塗布面に溶剤が均一に塗布される。【００１０】  ノズル５は湿潤マット６全体に溶剤が行渡るようノズル寸法及び配列を考慮する。【００１１】  ポンプ２は引金１２手動操作に伴い、ポンプ２（ピストン、シリンダ、吸引弁、吐出弁）より湿潤マット６に溶剤が送られるが、手動操作を電動操作機構に変更も可能、また、湿潤マット６に強制的にポンプにより溶剤送付後、溶剤収納容器１と湿潤マット６とのヘッド差（高低差）により自然に溶剤が湿潤マット６に供給も可能です。
〔産業上の利用可能性〕【００１２】  本溶剤掃除機を大型化、電動化すれば造船業等大型鋼板を多用する場合の塗装作業の自動化が図れる。
湿潤マットに塗料を送付し、本マットを移動または、平鋼板を移動すれば連続自動塗装ラインが可能となる。
【図面の簡単な説明】
【００１３】〔図１〕溶剤掃除機の側面図。
〔図２〕溶剤掃除機平面図。
〔図３〕溶剤掃除機正面図。
【符号の説明】
【００１４】  １  溶剤収納容器
２  ポンプ
３  溶剤送付管
４  マニホルド
５  ノズル
６  湿潤マット
７  マット保持フレーム
８  シャフトシール付ベアリング
９  シャフトベアリング
１０  ポンプシャフト
１１  握柄
１２  引金
１３  吐出弁
１４  吸入弁
１５  溶剤注入口
【図１】
0003114002.tif 000003
【図２】
0003114002.tif 000004
【図３】
0003114002.tif 000005
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
溶剤収納容器１．ポンプ２．溶剤送付管３．マニホルド４．ノズル５．湿潤マット６．から主要部材が構成され、溶剤収納容器１．に使用溶剤注入後、前記ポンプは溶剤収納容器１．と吸入弁１４．で溶剤送付管３．と吐出弁１３．で、それぞれ接続されており、ポンプに連結された引金１２．を引く側に作動することにより吸入弁１４．が開き、ポンプ２．内部に溶剤を吸引し、引金１２．を押すことにより吸入弁１４．が閉じて吐出弁１３．より溶剤が排出され、排出された溶剤を溶剤送付管３．マニホルド４．を経由してノズル５．に溶剤を送付し、ノズル５．にて湿潤マット６．全域に溶剤を送付湿潤後、湿潤マット６．を塗布面に接触することにより、溶剤が被塗布面に均一に塗布されることを特長とする溶剤掃除機。
(57)【要約】      （修正有）【課題】スコップの刃先に衝撃を加えて刃先の食い込みをよくした衝撃スコップの提供。【解決手段】柄１は中空のパイプ状であり錘２はバネ３により柄の中に吊り下げられている。柄１には取っ手４スコップ刃先５が取り付けられている。掘削物の硬さや粘り状態に応じてバネの張りを調整して刃先に加わる衝撃を調整する。【選択図】図１
0003114024.tif 000002
【実用新案登録請求の範囲】
【請求項１】
従来のスコップの柄の部分に衝撃発生装置を設けて、スコップを掘削方向に振り下ろすことで錘とハンマーが衝突しスコップの刃先に衝撃が加わるようにした衝撃スコップ。
【請求項２】
刃先の後方を足で見込む時の振動で、衝撃発生装置内部の錘とハンマーが衝突しスコップの刃先に衝撃が加わるようにした衝撃スコップ。
【考案の詳細な説明】
【技術分野】
【０００１】本考案は掘削用スコップに関するものである。
【背景技術】
【０００２】従来スコップを使用する場合固い地表や草木の根あるいは固まりかけた雪などを掘削するに多大な労力を必要としていた。
【背景技術】
【０００３】スコップの刃先で狙いを付けて強く打ち込むか、足で強く踏み込む等の方法がとられていた。
【考案の開示】
【考案が解決しようとする課題】
【０００４】  スコップを目的の場所に振り下ろし、また足で踏み込む時に刃先が食い込んで行くようにする。
【課題を解決するための手段】
【０００５】スコップの刃先を目的の場所に掘削方向に振り下ろすと衝撃発生装置が作動してスコップの刃先に衝撃が伝わり、スコップの刃先は目的の場所に食い込んでゆく。【０００６】スコップの刃先を目的の場所に当て、刃先の後ろを踏み込むと衝撃発生装置が作動してスコップの刃先に衝撃が伝わり、スコップの刃先は目的の場所に食い込んでゆく。
【考案の効果】
【０００７】硬い対称物を掘削するに効果を表す。
【考案を実施するための最良の形態】
【０００８】スコップの柄の中の中空部にバネで吊られた錘と刃先方向に設置されたハンマーを図１のように配置する。掘削物の硬さや粘り状態に応じてバネの張りを調整して刃先に加わる衝撃を調整する。
【実施例】
【０００９】図１は本考案実施例を示す概念図である【００１０】柄１は中空のパイプ状であり錘２はバネ３により柄の中に吊り下げられている。柄１には取っ手４スコップ刃先５が取り付けられている。
【産業上の利用可能性】
【００１１】本考案の採用により表面の固くなった地面や粘土質の土地、凍ってしまった雪や氷の処理が簡単になる等の効果が有る。
【図面の簡単な説明】
【００１２】
【図１】本考案実施例の概念図である。
【符号の説明】
１  柄
２  錘
３  バネ
４  取っ手
５  スコップ刃先
６  ハンマー
【図１】
0003114024.tif 000003
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
スコップの柄に錘と錘がぶつかるハンマーからなる衝撃発生装置を設け、ハンマーはスコップの刃先側方向に固定して設置され、錘は衝撃発生装置の中を掘削動作方向に移動できるように設置することにより、スコップを掘削方向に振り下ろす時、錘は慣性力を受けてとどまろうとし、スコップの刃先が掘削物に衝突して停止すると、慣性力でとどまっていた錘が刃先方向へ移動して、移動した錘がハンマーと衝突して衝撃力が発生し、その衝撃が刃先に加わるようにしたスコップ。
【請求項２】
スコップにおいて、刃先の後方を足で踏み込むとき、柄に設置された錘が踏み込み方向への慣性力を受けてとどまろうとし、その後刃先の踏み込みが停止したときに、とどまっていた錘が移動して、柄の刃先側に固定されたハンマーと衝突して衝撃力が発生させ、この衝撃が刃先に加わるようにしたスコップ。
(57)【要約】【課題】  本考案は、多数列数字表の計算及び入力作業を簡潔・正確に行え、ＯＣＲ用帳票数字、事務作業上必要な図形の作図をＴ定規一本で使用し、保管もこの道具のみで簡単にする。【解決手段】  本考案は、定規本体のなかに、ＯＣＲ帳票用数字、フローチャート作成及び事務作業で用いる図形がくり抜かれてある成型一体タイプの多目的Ｔ定規で、多数列数字表の計算や入力作業が簡潔・正確に行え、ＯＣＲ帳票用数字、事務作業上必要な図形が定規本体にくり抜かれていることによってＴ定規一本で多目的に使える利便性があり、従来のように別々に保管する必要もない。【選択図】  図１
0003114029.tif 000002
【実用新案登録請求の範囲】
【請求項１】
ＯＣＲ帳票用数字、フローチャート等事務作業上使用する図形が、定規本体にくり抜かれてある厚さ１〜１．５ｍｍの成型一体タイプのＴ定規。
【考案の詳細な説明】
【考案の詳細な説明】
【技術分野】
【０００１】  本考案は、ＯＣＲ帳票用数字、フローチャート等事務作業上使用する図形が、定規本体にくり抜かれてある厚さ１〜１．５ｍｍの成型一体タイプのＴ定規に関するものである。
【背景技術】
【０００２】  直線を引いたり、寸法を測る場合には直線定規、ＯＣＲ読取用の数字記入の場合には、ＯＣＲ帳票作成用数字プレート、フローチャート作成等事務作業に必要な図形は図形定規とそれぞれ単独で存在していたが、保管は別々で、まとめて必要なときに、なくなっているものがあるなど効率的でないことがある。
【考案が解決しようとする課題】
【０００３】  これらは、以下のような欠点があった。
▲１▼．表数字を計算したり、パソコンに入力するとき、単列数字の場合、段違いを防ぐため数字の下に直線定規を当て、数字を確認することはあったが、多数の列の表数字の場合、従来の直線定規では列違いを起こすことがある。
▲２▼．官公庁等に提出する書類でＯＣＲ読取用数字を記入する場合には、専用のプレートが必要になる。
▲３▼．フローチャート作成、丸数字・括弧付文字等事務作業上必要な図形を作図する場合にも専門の図形定規が必要になる。
▲４▼．簡単なマス目、直角を作図する場合にも複数の直線定規が必要になったり、分度器・コンパス等を用意するなど手間がかかる。
▲５▼．別々の保管の場合、紛失したものがあったり、必要な時に使えないものがあるなど効率的でない。
本考案は、これらの欠点を解決しょうとするものである。
【課題を解決するための手段】
【０００４】  本考案は、Ｔ定規で定規本体のなかにＯＣＲ帳票用数字、フローチャート等事務作業上使用する図形がくり抜かれてある厚さ１〜１．５ｍｍの成型一体タイプのＴ定規である。
【考案の実施形態】
【０００５】▲１▼．多数列の表数字を計算したり、パソコンに入力するときは後述の図の（１）と（２）のＬ字部分で数字を当てることにより確認ミスを防ぐことができる。
▲２▼．官公庁等に提出するとき用いるＯＣＲ用数字を記入する場合には、定規本体にくり抜かれてある数字をマス目に当てて書く。
▲３▼．フローチャート、丸数字・括弧付文字を作成する場合にも定規本体ににくり抜かれてある図形を用いて作成する。
▲４▼．簡単なマス目・直角を作図する場合には後述の図の（１）と（２）のＬ字部分を利用して作図する。
▲５▼．以上の要因をＴ定規一本にまとめられているので、作業及び保管が非常に効率的である。
【実施例】
【０００６】  以下、本考案を添付図面に従って一実施例について説明する。
Ｉは、耐久性のプラスチック又は木製の適宜素材にて成型一体タイプのＴ定規で、定規本体のなかにＯＣＲ帳票用数字、フローチャート等事務作業上使用する図形がくり抜かれてある厚さ１〜１．５ｍｍの多目的Ｔ定規である。
【考案の効果】
【０００７】  従来の直線定規の使用用途に加え、多数列の表数字の計算及び入力作業の数字確認の役割を果たし、ＯＣＲ帳票数字の記入、事務作業上使用する、図形の作図、簡単なマス目、直角の作図がこの多目的Ｔ定規で行え、保管もこれ一本ですみ利便性がある。
【図面の簡単な説明】
【図１】  本考案の多目的Ｔ定規の一実施例を示す正面図である。
【図１】
0003114029.tif 000003
(57)【要約】      （修正有）【課題】耳穴に挿入可能な筒状の入れ物の中に冷却部材を収納させて自由に耳穴に装着し、冷気によって外耳道内を冷すことで涼感を得る。【解決手段】自由に耳穴に着脱できる筒状の入れ物１の中に冷却部材４を収納する、筒状の入れ物１の蓋２をネジ式にて開閉自在となるようにして冷却部材４を交換する、冷却部材４の冷気により周囲の空気が冷され、外耳道内がその冷気にさらされることにより、涼感を得ることに役立つ耳穴着脱式涼感具。【選択図】図２
0003114028.tif 000002
【実用新案登録請求の範囲】
【請求項１】
使用者の耳穴に挿入して着脱自由に装着される筒状の入れ物の部材と、その入れ物の部材の構成する空間に、通し穴を施した冷却部材の一部を入れ物からはみ出して収納する形状とを主に構成される耳穴着脱式涼感具において、ゲル状をなす保冷材を容器内に密封して構成される冷却部材を冷却あるいは冷凍し、前記の入れ物部材の構成する空間内に着脱自由に収納することで使用者の外耳道内を保冷材の冷気にさらすことにより涼感を得るところを特徴とする耳穴着脱式涼感具。
【考案の詳細な説明】
【技術分野】
【０００１】  本考案は耳穴に装着可能な筒状の入れ物の中に冷却部材を入れて、その冷気で外耳道内を冷すことにより涼感を得る涼感具に関するものである。
【背景技術】
【０００２】  動力を使わないで涼感を得ようとした場合、手を使って団扇を使用するか、冷たいタオル等で身体を拭いていた。
【考案の開示】
【考案が解決しようとする課題】
【０００３】  高い外気温の下では団扇を使用してもあまり涼感は得られない、又冷たいタオルで身体を拭くなどして涼感を得ても、タオルを冷たい状態のまま維持させるのは難しく、涼感を維持させる為には耐えず手を使用してその状態を確保しなければならない、従って耳穴に挿入可能な入れ物に冷却部材を収納したものを装着することで、手を使用する頻度も減って、高温の外気の中でも持続的に涼感を得る事が可能になり前述の問題を解決しようとするものである。
【課題を解決するための手段】
【０００４】本考案は持続的に外耳道内を冷すことによって涼感を得ようとするものであり、耳穴に装着した筒状の入れ物の中に冷却部材を収納し、その冷気によって外耳道内を冷すことにより問題点を解決している。
【考案の効果】
【０００５】  上述のように使用者は耳穴に挿入可能な筒状の入れ物と冷却部材を組み合わせた涼感具を装着したままで移動や作業も可能であり装着中は持続的に涼感を得ることが出来る。
【考案を実施するための最良の形態】
【０００６】  耳穴に装着する筒状の入れ物は本体と蓋に分かれ、ネジ式に開閉する。蓋を外した状態で冷却部材を入れ物本体に入れる。冷却部材を入れ物本体に収納した場合冷却部材の一部が入れ物の先端からはみ出た状態で蓋を閉じて収納を完了する。冷却部材は耳穴に装着する筒状の入れ物の中に入る形状で容易に交換が出来て、使用済みの冷却部材は冷凍庫で予め冷却あるいは冷凍した冷却部材と交換して再利用し、耳穴に装着する入れ物の蓋部には外部からの音を遮断させぬように穴を開け、冷却部材には外部からの音を通過させるための通し穴を設ける。
【実施例】
【０００７】  以下、添付図面に従って一実施例を説明する。１は耐久性のプラスチックス等適宜素材にて形成された筒状の入れ物で冷却部材を収納し耳穴に装着する、２は器具の蓋、３は外部の音を外耳道内に取り入れるため蓋に開けた穴、４は冷却部材、５は外部からの音を通過させるための冷却部材に施した通し穴。
【図面の簡単な説明】
【０００８】
【図１】本考案の耳穴に装着する筒状の入れ物と冷却部材を組み合わせた涼感具の実施例を示す完成図である。
【図２】本涼感具の一部切欠断面図である。
【図３】本涼感具の筒状の入れ物１の開蓋時の姿図である。
【符号の説明】
【０００９】１  筒状のいれもの
２  蓋
３  穴
４  冷却部材
５  通し穴
【図１】
0003114028.tif 000003
【図２】
0003114028.tif 000004
【図３】
0003114028.tif 000005
(57)【要約】      （修正有）【課題】単純片側差込の仕切りの抜け止めを強化する。【解決手段】仕切りの切り込みは仕切り体の素材の肉厚よりも細い切込みであること。それにより仕切り体を組み合わせた時に、食い込みの部分がしっかりと噛み合い抜け難くなる。切り込み部分が、素材の肉厚より細いことが重要である。【選択図】図２
0003114021.tif 000002
【実用新案登録請求の範囲】
【請求項１】
四角形のケースの中を＃に仕切るには、縦方向の仕切り板と横方向の仕切り板にそれぞれ所定間隔の溝を切り込み、双方を切り込み同士で差し込み、組み合わせ、仕切り体とするが、そこに工夫を加え、仕切りが簡単に抜けない特徴を作り出す。
【請求項２】
単純、一方向の切り込みで、噛み合う部分の切込みが、仕切り素材の厚みより細いことが特徴の仕切り体。
【考案の詳細な説明】
【技術分野】
【０００１】本考案は抜け難い仕切りを作成することにある。
【背景技術】
【０００２】横仕切り板と縦仕切り板に、切り溝を１本以上作りそれを組み合わせた仕切り体が多く使われている。単純一方向の切り込みの仕切りは抜け易く他に、張り合わせやカギ止め等々あるが作業性に難がある。
【考案の開示】
【考案が解決しようとする課題】
【０００３】そこで作業性を単純化、抜け難くい工夫をし、折りたたみも可能な仕切り体を提供する。
【課題を解決するための手段】
【０００４】この課題を解決ために本考案は切り溝の部分に工夫を凝らし図面図２のｂ１−２、ｂ２−２の切り込みは仕切り体の素材の肉厚よりも細い切り込みとする。ｂ１−２ｂ，ｂ２−２の切り込みの違いは仕切り体の深さによって使い分ける。
【考案の効果】
【０００５】以上のような加工方法により図面図１ａ１、ａ２のどちらか一方に図面図２のｂ１−２、ｂ２−２の切込みを入れ、仕切り体としても抜け難いが図面１ａ１、ａ２の両方に図面図２のｂ１−２、ｂ２−２の切り込みを入れ仕切り体にすれば更に強固に噛み合い、扱い易い状態を維持できる。
【考案の実施するための最良の形態】
【０００６】  考案の実施を図面に基づいて説明する。ｂ１−１、ｂ２−１はａ１、ａ２の切り込みの拡大図である。図１ａ１が縦仕切り板、ａ２が横仕切り板で、ａ１ないしａ２のどちらか一方にｂ１−２、ｂ２−２切り込みを入れ仕切り体にする場合は抜け止め効果が少し弱くてもよい場合の方法で、ａ１、ａ２の両方にｂ１−２、ｂ２−２の切り込みを入れ仕切り体とすることが最良の効果をもたらす。ａ１、ａ２の切り込みの部分を合わせて組み込み、更に押し込むことによってより強固に噛み合い最良の形態となる。
【実施例】
【０００７】本考案は、素材の肉厚よりも切り込みが細いところに特徴があり、この部分が長いほど効果が大きい。この仕切り体は折り畳みができ外れ難いため、横の移動やケースへの出し入れ等、扱いが容易である。
【図面の簡単な説明】
【０００８】
【図１】本考案の仕切り体の縦仕切り板と横仕切り板
【図２】図１の仕切り板の切り込みの拡大図
【図３】仕切り板の参考図
【図４】本考案の実施形態の仕切り体の斜視図
【符号の説明】
【０００９】ａ１      仕切り体の縦仕切り板
ａ２      仕切り体の横仕切り板
ｂ１−１  仕切り板の切り込みの拡大図
ｂ１−２  仕切り板の切り込みの拡大図
ｂ２−１  仕切り板の切り込みの拡大図
ｂ２−２  仕切り板の切り込みの拡大図
ｃ１      仕切り板の参考図
ｃ２      仕切り板の参考図
ｄ１      仕切り体の斜視図
ｄ２      仕切り体の斜視図
ｄ３      素材の肉厚を示す
【図１】
0003114021.tif 000003
【図２】
0003114021.tif 000004
【図３】
0003114021.tif 000005
【図４】
0003114021.tif 000006
【手続補正書】
【提出日】平成17年5月12日(2005.5.12)
【手続補正１】
【補正対象書類名】明細書
【補正対象項目名】０００４
【補正方法】変更
【補正の内容】
【０００４】この課題を解決するために本考案は切り溝の部分に工夫を凝らし図面、図２のｂ１−２、ｂ２−２の切り込みは仕切り体の素材の肉厚以下の切り込み幅とする、ｂ１−２  ｂ２−２の切り込みの使い分けは製品次第。
【手続補正２】
【補正対象書類名】明細書
【補正対象項目名】０００７
【補正方法】変更
【補正の内容】
【０００７】本考案は、切り込み幅が素材の肉厚以下というところが特徴であり、この部分が長いほど噛み合う効果が大きく抜け止め強化につながる。この仕切り体は折りたたみができ、さらに外れ難いため横の移動やケースへの出し入れ等、扱いが容易である。
【手続補正３】
【補正対象書類名】実用新案登録請求の範囲
【補正対象項目名】請求項２
【補正方法】変更
【補正の内容】
【請求項２】
単純、一方向の切込みで、噛み合う部分の切り込み幅を、仕切り素材の厚み以下とすることが特徴の仕切り体。
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
ケースの間仕切りであり四角形のケースの中を升目に仕切る為に縦方向の仕切り板と横方向の仕切り板それぞれに所定間隔の溝を切り込み、双方の切り込み部分を差し込み組み合わせる仕切り体であって、単純一方向の切り込みで噛み合う部分の全部又は一部の切り込み幅が仕切り素材の肉厚以下であることを特徴とする仕切り体である。
(57)【要約】      （修正有）【課題】液体燃料中を霧とせずに気化燃料を得ることが出来る気化器の提供。【解決手段】密閉容器内で液体燃料中に空気を取り込むことで泡飛沫を発生させ、可燃性ガスとして取り出す。【選択図】図１
0003114025.tif 000002
【実用新案登録請求の範囲】
【請求項１】
密閉できる容器に給気及び排気パイプを設け、容器への空気の出入りはこれらのパイプを通してのみ行われる。容器内においで吸気パイプの一端は常時液体燃料に浸るように設置し、また排気パイプの一端は常時液体燃料に浸らないように設置する。容器内の液体燃料中に吸気パイプから取り込んだ空気により泡を発生させる。泡が燃料の中を上昇して液面で破裂して燃料飛沫となる。このとき発生する飛沫からなる可燃性ガスを排気パイプからとりだす。
【考案の詳細な説明】
【技術分野】
【０００１】  本考案は、ガソリン等の液体燃料を気化させる気化器に関するものである。
【背景技術】
【０００２】  本考案はガソリン等の液体燃料中に泡を発生させ、同泡が破裂して液面に飛沫を作り、同飛沫を可燃性ガスとして取り出すことを目的とする。
【考案の開示】
【考案が解決しようとする課題】
【０００３】  従来液体燃料を燃焼させるには、燃料を霧状にして混合気を作りこの混合気を燃焼させる方法がとられていた。
このため燃料を液体から霧、霧から気体と変化させていた。
【課題を解決するための手段】
【０００４】  本考案は液体燃料中に泡を発生させ、泡が弾けるときに生じる液体飛沫から気化燃料を取り出すための装置である。
【考案の効果】
【０００５】  液体燃料を霧とせずに気化燃料を得ることができる。
【考案を実施するための最良の形態】
【０００６】  密閉できる容器に給気及び排気パイプを設け、容器への空気の出入りはこれらのパイプを通してのみ行われる。容器内において吸気パイプの一端は常時液体燃料に浸るように設置し、また排気パイプの一端は常時液体燃料に浸らないように設置する。容器内の液体燃料中に吸気パイプから取り込んだ空気により泡を発生させる。泡が燃料の中を上昇して液面で破裂して燃料飛沫となる。このとき発生する飛沫からなる可燃性ガスを排気パイプからとりだす。
【実施例】
【０００７】  図１は本考案実施例を示す概念図である
容器１は密閉式の燃料容器である。同容器に吸気パイプ２、排気パイプ３を取り付ける。容器内において吸気パイプは液体燃料の底近くに空気吸入口を設ける。排気パイプは容器上面付近に排気取り出し口を設ける。吸気パイプ２は常時燃料に浸っている。排気パイプ３は常時燃料に浸っていない。
【産業上の利用可能性】
【０００８】  従来のキャブレターを用いることなく気化燃料を製造することができる。
【図面の簡単な説明】
【０００９】
【図１】本考案の概念図である。
【符号の説明】
１  燃料容器
２  吸気パイプ
３  排気パイプ
【図１】
0003114025.tif 000003
【手続補正書】
【提出日】平成17年7月4日(2005.7.4)
【手続補正１】
【補正対象書類名】実用新案登録請求の範囲
【補正対象項目名】請求項１
【補正方法】変更
【補正の内容】
【請求項１】
密閉できる容器に給気及び排気パイプを設け、容器への空気の出入りはこれらのパイプを通してのみ行われるものとして設置し、容器内において吸気パイプの一端は常時液体燃料に浸るように設置し、また排気パイプの一端は常時液体燃料に浸らないように設置することにより、容器内の液体燃料中に吸気パイプから取り込んだ空気により泡を発生させ、泡が燃料の中を上昇して液面で破裂して燃料飛沫となるとき発生する飛沫からなる可燃性ガスを排気パイプからとりだすようにした燃料容器。
【手続補正２】
【補正対象書類名】明細書
【補正対象項目名】全文
【補正方法】変更
【補正の内容】
【考案の詳細な説明】
【技術分野】
【０００１】  本考案は、液体燃料を気化させる気化器機能を有する燃料容器に関するものである。
【背景技術】
【０００２】本考案は、液体燃料中に泡を発生させ、同泡が液面で破裂して飛沫を作り、同飛沫を可燃性ガスとして取り出すことを目的とする機能を有する燃料容器。
【考案の開示】
【考案が解決しようとする課題】
【０００３】 エンジンで液体燃料を燃焼させるには、燃料を霧状にして混合気を作りこの混合気を燃焼させる方法がとられていた。このため燃料を液体から霧、霧から気体と変化させていた。
【課題を解決するための手段】
【０００４】  本考案は燃料容器の中に、液体燃料中に泡を発生させ、泡が弾けるときに生じる液体飛沫から気化燃料を取り出すための装置を設置した。
【考案の効果】
【０００５】  液体燃料を霧とせずに気化燃料を得ることができる。
【考案を実施するための最良の形態】
【０００６】  密閉できる容器に給気及び排気パイプを設け、容器への空気の出入りはこれらのパイプを通してのみ行われ、容器内において吸気パイプの一端は常時液体燃料に浸るように設置し、また排気パイプの一端は常時液体燃料に浸らないように設置することにより、容器内の液体燃料中に吸気パイプから取り込んだ空気により泡を発生させ、泡が燃料の中を上昇して液面で破裂して燃料飛沫となり、このとき発生する飛沫からなる可燃性ガスを排気パイプからとりだす。
【実施例】
【０００７】  図１は本考案実施例を示す概念図である容器１は密閉式の燃料容器である。同容器に吸気パイプ２、排気パイプ３を取り付ける。容器内において吸気パイプは液体燃料の底近くに空気吸入口を設ける。排気パイプは容器上面付近に排気取り出し口を設ける。吸気パイプ２は常時燃料に浸っている。排気パイプ３は常時燃料に浸っていない。
【産業上の利用可能性】
【０００８】  キャブレターを用いることなく気化燃料を製造することができる。
【図面の簡単な説明】
【０００９】
【図１】本考案の概念図である。
【符号の説明】
【００１０】  １  燃料容器  ２  吸気パイプ  ３  排気パイプ
(57)【要約】      （修正有）【課題】立ってする足の運動器具は立位バランスを取ることが難しい方に使用できなく又腰掛けてする足の運動器具も場所を必要とし手軽にどこにでも置いて使用できない。【解決手段】湯水の入る箱型タンク１上部に２個の蛇腹筒２を立設し、それぞれの蛇腹筒上面に足踏み板３と湯水出入口４を設け前期蛇腹筒の底部に連通口６を設け前記箱型タンクに流通し、前記箱型タンク上部に前記蛇腹筒２個を囲む容器７を取り付け該容器内に湯水の出入口を設けてなる足踏み運動器具。【選択図】図１
0003114027.tif 000002
【実用新案登録請求の範囲】
【請求項１】
湯水の入る箱型タンク上部に蛇腹筒２個を立設し、それぞれの蛇腹筒上面に足踏み板と湯水出入口を設け前記蛇腹筒の底部に連通口を設け前記箱型タンクに流通してなる足踏み運動器具
【請求項２】
前記箱型タンク上部に前記蛇腹筒２個を囲む容器を取り付け該容器内に湯水の出入口を設けてなる請求項１記載の足踏み運動器具
【考案の詳細な説明】
【技術分野】
【０００１】本案は足を暖めながら足踏み運動する事により血流をよくして下肢等の筋力を増進させる運動器具に関するものである。
【背景技術】
【０００２】現在ある足の運動器具では立つてする物でペダルを踏んで足踏みする物やコンベア式の上に乗り歩いたり走ったりする物がある又腰掛ける足の運動器具では自転車タイプの物や足を立てたり延ばしたりする物がある。
【考案の開示】
【考案が解決しようとする課題】
【０００３】面して立つてする足の運動器具は立位バランスを取ることが難しい方に使用できなく又腰掛けてする足の運動器具も場所を必要とし手軽にどこにでも置いて使用できなく又値段が高い。
【課題を解決するための手段】
【０００４】湯水の入る箱型タンク上部に蛇腹筒２個を立設し、それぞれの蛇腹筒上面に足踏み板と湯水出入口を設け、丸みのネジ蓋を足踏まず位置に設け前記蛇腹筒の底部に連通口を設け前記箱型タンクに流通し、片足を押圧した時もう片方の足が湯圧で押し上げられ、これを繰り返すと足踏み運動ができる。前記箱型タンク上部に前記蛇腹筒２個を囲む容器を取り付け該容器ないに湯水の出入口を設け蓋を設ける。前記容器は取り外しができるものである。
【考案の効果】
【０００５】手軽にどこにでも置いて、椅子に座り、両足を乗せ片方の足を踏み下げると、もう一方の足が自動的に上昇され、これを繰り返すと足踏み効果を増長させ下肢等の筋力作りができ、又足を暖め下肢の血流れを良くする効果がある。椅子に座り足踏み運動ができるので立位バランスを取るのが難しい方でも使用でき又足踏み部に蛇腹筒を設け足を垂直に下げなくても下降しやすいようにして手軽に利用できる効果もある。本運動器具は湯水他空気でも使用できるものである。
【考案を実施するための最良の形態】
【０００６】以下図面に示す実施に従って本考案の実施の形態について説明する。図１、湯水の入る箱型タンク（１）上部に蛇腹筒（２）２個を立設し、それぞれの蛇腹筒上面に足踏み板（３）と湯水出入口（４）を設け、丸みのネジ蓋（５）を足踏まず位置に設ける。前記蛇腹筒の底部に連通口（６）を設け前記箱型タンクに流通し、片足を押圧した時もう片方の足が湯圧で押し上げられる。前記箱型タンク上部に前記蛇腹筒２個を囲む容器（７）を取り付け該容器内に湯水の出入口（８）を設け蓋（９）を設ける。前記容器は取り外しができるので、前記箱型タンクと固定できる留め具（１０）を設ける。前記容器に湯を入れることにより、なお足が暖められ下肢の血流が良くなる。
図２、前記蛇腹筒の底部に流通管を設け前記箱型タンクに流通し、前記蛇腹筒の高さ調整できるように設ける。
【図面の簡単な説明】
【０００７】
【図１】足踏み運動器具の断面図である。
【図２】前記蛇腹筒の底部に流通管を設け、前記蛇腹筒の高さ調整できる足踏み運動器具の断面図である。
【符号の説明】
【０００８】  １    箱型タンク
２    蛇腹筒
３    足踏み板
４    湯出入口
５    丸みのネジ蓋
６    連通口
７    容器
８    湯出入口
９    蓋
１０    固定する留め具
【図１】
0003114027.tif 000003
【図２】
0003114027.tif 000004